(57)【要約】【課題】ロッククライミングの楽しみおよび難易度を変えることを可能にする組み立て式ロッククライミング装置を提供する。【解決手段】複数の立体の組み立てブロック２によって構成されるロッククライミング本体１を備える。組み立てブロック２は少なくとも一つの表面２１と、隣り合う組み立てブロック２と接続する接続面２２とを有する。表面２１と接続面２２とは連接され、組み立てブロック２を構成する。組み立てブロック２は接続面間を連接することによってロッククライミング本体１を構築する。ロッククライミング本体１は組み立てブロック２の表面２１を連接することによって少なくとも一つの登攀面１１を構成する。登攀面１１は手でつかむための複数の岩ブロック３を有する。【選択図】  図１
0003157513.tif 000002
【実用新案登録請求の範囲】
【請求項１】
ロッククライミング本体を備え、ロッククライミング本体は、複数の立体の組み立てブロックによって構成され、組み立てブロックは少なくとも一つの表面と、隣り合う組み立てブロックと接続する少なくとも一つの接続面とを有し、表面と接続面とは連接され、組み立てブロックを構成し、組み立てブロックは接続面間を連接することによってロッククライミング本体を構築し、ロッククライミング本体は、複数の組み立てブロックによって異なる形および構造を構築することが可能であり、ロッククライミング本体は組み立てブロックの表面を連接することによって少なくとも一つの登攀可能な大面積の登攀面を構成し、登攀面は手でつかむための複数の岩ブロックを有することを特徴とする組み立て式ロッククライミング装置。
【請求項２】
組み立てブロックは、二つの板体および複数の支持リブをさらに有し、
組み立てブロックは、二つの板体および複数の支持リブによって中空の構造を構築し、板体は周りから伸びて形成された突出縁部を有し、板体および突出縁部は複数の装着孔を別々に有し、支持リブはＬ形の片体を呈し、かつ複数の接続孔及び複数の締付ユニットを有し、支持リブは両端が複数の締付ユニット、支持リブの接続孔、板体の突出縁部の装着孔によって二つの板体の突出縁部の内側面に別々に締め付けられるため、中空の構造が形成され、組み立てブロックの少なくとも一つの板体の外側面が表面となり、岩ブロックは板体の装着孔によって装着され、支持リブによって囲まれた中空の面は接続面に形成され、接続面は支持リブの接続孔によって別の組み立てブロックの接続面と連接・固定されることを特徴とする請求項１に記載の組み立て式ロッククライミング装置。
【考案の詳細な説明】
【技術分野】
【０００１】
本考案は、ロッククライミング装置に関し、詳しくは組み立て式ロッククライミング装置に関する。
【背景技術】
【０００２】
都会人にとって自然の岩場まで行くには交通時間が非常にかかるだけでなく、気候要素を配慮しなければならないため、人工岩場が生み出された。人工岩場はロッククライミング装置を有し、かつ室外または室内に設置されることが可能であるため、使用上の利便性および安全性を有する。人工岩場によってロッククライミングを野外から都会に導入すれば、より多くの人がロッククライミングに親しむことが可能である。
【０００３】
図８に示すように、従来の人工ロッククライミング装置は複数の板片５１から構成された登攀壁面５２を有する。登攀壁面５２を室内に設置する場合は、直接室内の壁に固定することが可能である。登攀壁面５２を室外に設置する場合は、支持に用いる壁がないため、登攀壁面５２の背面に支持フレーム６を配置し、登攀壁面５２を支持する必要がある。登攀機能を提供するため、板片５１の表面は天然の岩壁に類似するように成形され、複数の岩ブロック７は所定の距離によって板片５１上の所定の位置に配置される。
【考案の概要】
【考案が解決しようとする課題】
【０００４】
従来の人工ロッククライミング装置を使用する際、次の欠点が生じる。室内に設置するには、堅固な壁に固定する必要があるため、適切な壁がないと設置することができない。室外に設置するには、支持に用いる壁がないため、支持フレームを使用する必要がある。従って、組立部品が多くなり、複雑になる。また登攀壁面の造形が固定されるため、組み立て過程において全体の造形を変更するか、造形の変更によって登攀難度を調整する必要がある場合、本来の設計および造形を変更することが難しいだけでなく、別の場所に移して使用することができない。従って、利便性があまりよくない。上述した問題は本考案の解決したい重点になる。
【０００５】
本考案の主な目的は、上述した問題を解決するため、複数の組み立てブロックによってロッククライミング装置の本体を構築し、ロッククライミング装置の本体をＬ形、三角形、方形または別の形に組み立て、かつ造形の変化を多様化し、無限な創意を加えることによって突出状または陥没状の登攀面を生成し、ロッククライミングの楽しみおよび難易度を変えることを可能にする組み立て式ロッククライミング装置を提供することにある。
【０００６】
本考案のもう一つの目的は、壁に貼り付けるか、支持フレームによって支持する必要なく、複数の組み立てブロックによって構成されるロッククライミング装置を提供することにある。
【０００７】
本考案のもう一つの目的は、結合および分離ができるように設計された複数の組み立てブロックによって構成されるロッククライミング装置を提供することにある。
【課題を解決するための手段】
【０００８】
上述の目的を達成するために、本考案による組み立て式ロッククライミング装置は、ロッククライミング本体を備える。ロッククライミング本体は、複数の立体の組み立てブロックによって構成される。組み立てブロックは少なくとも一つの表面と、隣り合う組み立てブロックと接続する接続面とを有する。表面と接続面とは連接され、組み立てブロックを構成する。組み立てブロックは接続面間を連接することによってロッククライミング本体を構築する。ロッククライミング本体は組み立てブロックの表面を連接することによって少なくとも一つの登攀面を構成する。登攀面は手でつかむための複数の岩ブロックを有する。
よって、設置する際、場所に制限されることがないだけでなく、使用により便利になる。また、いつでもロッククライミングの場所を変更することが可能なだけでなく、保管に便利である。
【図面の簡単な説明】
【０００９】
【図１】本考案の一実施形態による組み立て式ロッククライミング装置を示す斜視図である。
【図２】人が本考案の一実施形態による組み立て式ロッククライミング装置におけるロッククライミング本体を登攀する状態を示す模式図である。
【図３】本考案の一実施形態による組み立て式ロッククライミング装置におけるロッククライミング本体の別の形を示す模式図である。
【図４】本考案の一実施形態による組み立て式ロッククライミング装置におけるロッククライミング本体の別の形を示す模式図である。
【図５】本考案の一実施形態による組み立て式ロッククライミング装置における組み立てブロックを示す斜視図である。
【図６】本考案の一実施形態による組み立て式ロッククライミング装置における組み立てブロックを示す特性図である。
【図７】本考案の一実施形態による組み立て式ロッククライミング装置における組み立てブロックの別の形を示す斜視図である。
【図８】従来のロッククライミング装置を示す模式図である。
【考案を実施するための形態】
【００１０】
以下、本考案による組み立て式ロッククライミング装置を図面に基づいて説明する。
（一実施形態）
図１から図７に示すように、本考案の一実施形態による組み立て式ロッククライミング装置は、ロッククライミング本体１を備える。ロッククライミング本体１は、複数の立体の組み立てブロック２によって構成される。組み立てブロック２は少なくとも一つの表面２１と、隣り合う組み立てブロック２と接続する少なくとも一つの接続面２２とを有する。表面２１と接続面２２とは連接され、組み立てブロック２を構成する。クッククライミング本体１は、複数の組み立てブロック２の接続面２２を組み合せることによって構成される。ロッククライミング本体１は、複数の組み立てブロック２によって異なる形および構造を構築することが可能である。ロッククライミング本体１は組み立てブロック２の表面２１を連接することによって少なくとも一つの登攀可能な大面積の登攀面１１を構成する。登攀面１１は手でつかむための複数の岩ブロック３を有する。
【００１１】
図１および図２に示すように、本実施形態は、複数の立方体の組み立てブロック２の接続面２２および複数の立体三角形の組み立てブロック２Ａの接続面２２Ａの組み合わせによってＬ形壁面を呈するロッククライミング本体１を構築する。ロッククライミング本体１は組み立てブロック２の表面２１および組み立てブロック２Ａの表面２１Ａを連接し、両面に大面積の登攀面１１を構築する。使用者は大面積の登攀面１１上の岩ブロック３によって登攀のトレーニングおよび運動を行なうことが可能である。
【００１２】
ロッククライミング本体は、複数の組み立てブロックから構築されるため、必要に応じ、様々な形によって組み立てることが可能である。複数の使用者が同時に登攀できるために、本考案は図３に示すように複数の立方体の組み立てブロック２および複数の立体三角形の組み立てブロック２Ａを組み合わせて中空の四角柱を呈するロッククライミング本体１Ａを構築する。ロッククライミング本体１Ａは組み立てブロック２の表面２１および組み立てブロック２Ａの表面２１Ａを連接し、四面に大面積の登攀面１１を構築する。図４に示すように、複数の立方体の組み立てブロック２のみを組み合わせ、一面が地面に立てるロッククライミング本体１Ｂを構築することも可能である。つまり、本考案は上述した形に限らず、ロッククライミング本体１を様々な形に組み立てることが可能である。
【００１３】
ロッククライミング本体は。複数の組み立てブロックから構築される。組み立てブロック間を互いに結合させ、固定し、かつ材料を削減するために、組み立てブロックを図５から図７に示すような構造に設計することが可能である。組み立てブロックは二つの板体２４および複数の支持リブ２５によって中空の構造を構築する。板体２４は周りから伸びて形成された突出縁部２４１を有する。板体２４および突出縁部２４１は複数の装着孔２４２を別々に有する。支持リブ２５はＬ形の片体を呈し、かつ複数の接続孔２５２を有する。支持リブ２５は両端が複数の締付ユニット２３、支持リブ２５の接続孔２５２、板体２４の突出縁部２４１の装着孔２４２によって二つの板体２４の突出縁部２４１の内側面に別々に締め付けられるため、中空の構造が形成され、組み立てブロック２の少なくとも一つの板体２４の外側面が表面２１となる。岩ブロック３は板体２４の装着孔２４２によって装着され、支持リブ２５によって囲まれた中空の面は接続面２２に形成され、接続面２２は支持リブ２５の接続孔２５２によって別の組み立てブロック２の接続面２２と連接・固定される。
【００１４】
板体２４は正方形の片体を呈するため、図５に示すように二つの板体２４および四つの支持リブ２５によって立方体の組み立てブロック２を構築することが可能である。組み立てブロックの別の実施形態において、板体２４Ａは三角形の片体を呈するため、図７に示すように二つの板体２４Ａおよび三つの支持リブ２５Ａによって立体三角形の組み立てブロック２Ａを構築することが可能である。つまり、組み立てブロックは上述した形に限らず、様々な形を呈することが可能である。
【００１５】
組み立てる際、図１に示すように複数の組み立てブロック２および複数の組み立てブロック２Ａを横方向または縦方向に排列し、積み重ねる。続いて組み立てブロック２の接続面２２と組み立てブロック２Ａの接続面２２Ａとを互いに密接させ、装着孔２４２および接続孔２５２によって締め付ける。このとき複数の組み立てブロック２および複数の組み立てブロック２Ａは所定の形によって排列され、積み重ねられて登攀主体１を構築する。組み立てブロック２の板体２４および組み立てブロック２Ａの板体２４Ａの外側面（即ち表面２１）は連接されるため、大面積の平坦面、即ち登攀面１１が形成される。続いて登攀する際、手で掴んだり、足でよじ登ったりするため、板体２４および板体２４Ａ上の装着孔２４２によって岩ブロック３を登攀面１１上の適切な位置に装着する。
【００１６】
登攀本体１の組み立てが完了した後、安全性及び美観を増すために、図１に示すように最も外側、即ち組み立てブロック２および組み立てブロック２Ａ上の中空の面に表面板２６を被せ、中空の部位を密閉することが可能である。
【００１７】
上述した説明により、本考案の主な長所は次のとおりである。複数の組み立てブロックによって装着のモジュール化をはかることが可能なだけでなく、組み立て作業の進行中ないし組み立て作業の完了後、構造を変更し、かつ造形を多様化し、無限な創意を加えることが可能であるため、突出状または陥没状の登攀面を生成し、ロッククライミングの楽しみおよび難易度を変えることが可能となる。
【００１８】
ロッククライミング装置は、壁に貼り付けるか、支持フレームによって支持する必要なく、複数の組み立てブロックから構築されるため、組み立てる際、場所に制限されることがないだけでなく、使用により便利になる。
【００１９】
ロッククライミング装置は、複数の組み立てブロックから構築され、組み立てブロックは結合および分離ができるように設計されたため、いつでもロッククライミングの場所を変更することが可能なだけでなく、保管に便利である。
【００２０】
以上、本考案は、上記実施形態になんら限定されるものではなく、考案の趣旨を逸脱しない範囲において種々の形態で実施可能である。
【符号の説明】
【００２１】
１：ロッククライミング本体、  １Ａ：ロッククライミング本体、  １Ｂ：ロッククライミング本体、  １１：登攀面、  ２：組み立てブロック、  ２Ａ：組み立てブロック、  ２１：表面、  ２１Ａ：表面、  ２２：接続面、  ２２Ａ：結合面、  ３：岩ブロック、  ２３：締付ユニット、  ２４：板体、  ２４Ａ：板体、  ２４１：突出縁部、  ２４２：装着孔、    ２５：支持リブ、  ２５Ａ：支持リブ、  ２５２：接続孔、  ２６：表面板
【図１】
0003157513.tif 000003
【図２】
0003157513.tif 000004
【図３】
0003157513.tif 000005
【図４】
0003157513.tif 000006
【図５】
0003157513.tif 000007
【図６】
0003157513.tif 000008
【図７】
0003157513.tif 000009
【図８】
0003157513.tif 000010